(57)【要約】【課題】内容物の品質を好適に維持することができる、新規な合成樹脂製の積層容器を提供する。【解決手段】本発明は、胴部の下端を閉じる底部を有し、底部と対向する位置に胴部内側に通じる口部が形成された合成樹脂製の積層容器1である。積層容器1は、胴部2a及び底部2bを形作ると共に、胴部2aの上端を開放させて口部2cを形作り、口部2aの周りから外方に突出する環状のフランジ2dが設けられたPET樹脂からなる基材層2と、基材層2の内側に配置されたPE樹脂からなる被覆層3とを有し、被覆層3は、胴部2a及び底部2bから胴部2aの上端を越えてフランジ2dに至るまでの全面に亘って連続的に被覆されてなるものである。【選択図】図２
2011116373.tif 000002
【特許請求の範囲】
【請求項１】
胴部の下端を閉じる底部を有し、当該底部と対向する位置に胴部内側に通じる口部が形成された合成樹脂製の積層容器であって、
当該積層容器は、少なくとも胴部及び底部を形作る基材層と、少なくとも当該基材層の内側に配置された被覆層とを有し、
当該被覆層は、胴部及び底部の全面に亘って連続的に被覆されてなるものであることを特徴とする、合成樹脂製の積層容器。
【請求項２】
請求項１において、基材層は、胴部の上端を開放させて口部を形作り、当該口部の周りから外方に突出する環状のフランジが設けられたものであり、
被覆層は、胴部の上端を越えてフランジに至るまで連続的に被覆されてなるものであることを特徴とする、合成樹脂製の積層容器。
【請求項３】
請求項１又は２において、被覆層は、ポリエチレン樹脂で構成されたものであることを特徴とする、合成樹脂製の積層容器。
【請求項４】
請求項１乃至３のいずれか１項において、基材層は、ポリエチレンテレフタレート樹脂、あるいはポリプロピレン樹脂で構成されたものであることを特徴とする、合成樹脂製の積層容器。
【請求項５】
請求項１乃至４のいずれか１項において、被覆層は、基材層と共に延伸させてなるものであることを特徴とする、合成樹脂製の積層容器。
【発明の詳細な説明】
【技術分野】
【０００１】
本発明は、内容物に対する外界からの影響を受け難い合成樹脂製の積層容器に関するものである。
【背景技術】
【０００２】
従来の積層容器には、底部と複数の側面部とで形作られたインナーフィルムラベルのうち、各々の側面部を折り曲げることで、金型内に被覆層としてセットしたのち、基材層を構成する樹脂材料を注入することにより、金型内で成形されるものがある（例えば、特許文献１参照）。
【先行技術文献】
【特許文献】
【０００３】
【特許文献１】特開２００４−１８０９０号公報
【発明の概要】
【発明が解決しようとする課題】
【０００４】
しかしながら、こうした従来の積層容器は、インナーフィルムラベルを折り曲げて合わせた場合、その合わせ面に隙間が生じると、内容物の品質を長期間に亘って維持したり、内容物を外界の影響から遮断するに際し、依然として改善の余地がある。
【０００５】
本発明の目的とするところは、内容物の品質を維持することができる、新規な合成樹脂製の積層容器を提供することにある。
【課題を解決するための手段】
【０００６】
本発明は、胴部の下端を閉じる底部を有し、当該底部と対向する位置に胴部内側に通じる口部が形成された合成樹脂製の積層容器であって、
当該積層容器は、少なくとも胴部及び底部を形作る基材層と、少なくとも当該基材層の内側に配置された被覆層とを有し、
当該被覆層は、胴部及び底部の全面に亘って連続的に被覆されてなるものであることを特徴とするものである。
【０００７】
基材層としては、例えば、胴部の上端を開放させて口部を形作り、当該口部の周りから外方に突出する環状のフランジが設けられたカップ状のものが挙げられる。容器が上述のようなカップ状である場合も、被覆層は、胴部及び底部の全面に亘って連続的に被覆されてなるものであるが、好適には、胴部の上端を越えてフランジに至るまで連続的に被覆されてなるものとする。
【０００８】
また、他の容器としては、胴部の上側に肩部を形成すると共に、この肩部に繋がる筒状部の内側を開放させて口部を形作るボトル状のもの等も挙げられる。なお、この場合も、被覆層は、胴部及び底部の全面に亘って連続的に被覆されてなるものであるが、肩部から口部に至るまで連続的に被覆されてなるものとすることもできる。
【０００９】
また、基材層及び被覆層は、単層に限定されるものではなく、それぞれ積層構成とすることもできる。また、層構成としては、ガスバリア性（酸素、二酸化炭素、水蒸気など）、透明性、剛性、耐熱性、耐内容物（薬品）性、加飾性など、必要とする種々の物性によって組み合わせを選択することができる。例えば、水蒸気バリア性を目的としてポリオレフィン系樹脂（ポリエチレン樹脂など）を選択し、透明性及び耐熱性を目的としてポリエチレンテレフタレート（ＰＥＴ）樹脂を選択し、これらをそれぞれ被覆層及び基材層として組み合わせることなどが考えられる。さらに例えば、ガスバリア性を必要とする場合には、エチレンビニルアルコール共重合体（ＥＶＯＨ）樹脂、ナイロン樹脂、ポリグリコール酸（ＰＧＡ）樹脂などを使用することができる。なお、これらの材料（樹脂）は、基材層及び被覆層のそれぞれにおいて、単層構成で使用しても良いし、基材層及び被覆層の少なくとも一方を積層構成とし、その内の任意の層として使用することもできる。
【発明の効果】
【００１０】
本発明によれば、基材層の内側に配置された被覆層を、胴部及び底部の全面に亘って連続的に被覆されてなるものとしたから、当該被覆層には、基材層に通じる隙間が存在しないため、溶出や浸透が被覆層によって確実に防止される。従って、本発明によれば内容物の品質を好適に維持することができる。
【図面の簡単な説明】
【００１１】
【図１】本発明の一形態である、カップ状積層容器を示す斜視図である。
【図２】同形態の軸線Ｏを含む平面として、同形態を示した縦断面図である。
【発明を実施するための形態】
【００１２】
以下、図面を参照して、本発明を詳細に説明する。
【００１３】
図１は、本発明の一形態である、カップ状の積層容器（以下、「カップ容器」）１を示す斜視図である。
【００１４】
２は、胴部２ａの下端を閉じる底部２ｂを有し、当該底部２ｂと対向する位置に胴部２ａ内側に通じる口部２ｃが形成された基材層である。基材層２は、胴部２ａの上端を開放させて口部２ｃを形作り、この口部２ｃの周りから外方に突出する環状のフランジ２ｄが一体に設けられている。
【００１５】
基材層２は、ポリエステル系樹脂やポリオレフィン系樹脂で構成することができるが、本形態では、ＰＥＴ樹脂やポリプロピレン樹脂からなる。
【００１６】
３は、基材層２の内側に配置された被覆層である。本発明に従えば、被覆層３は、基材層２の胴部２ａ及び底部２ｂの全面に亘って隙間の無いように連続的に被覆されてなるものであればよいが、好適には、本形態の如く、胴部２ａの上端を越えてフランジ２ｄに至るまで隙間の無いように連続的に被覆されてなるものとする。
【００１７】
なお、図中には、被覆層３における基材層２の胴部２ａ、底部２ｂ、口部２ｃ及びフランジ２ｄに対応する部分をそれぞれ、胴部３ａ、底部３ｂ、口部３ｃ及びフランジ３ｄとして示す。また、本形態では、被覆層３のフランジ３ｄにおける外周縁３ｅが、図に示すように、基材層２のフランジ２ｄにおける外周縁２ｅに覆われているが、本発明に従えば、被覆層３のフランジ３ｄの外周縁３ｅを露出させるように被覆されてなるものとすることもできる。
【００１８】
被覆層３は、ポリオレフィン系樹脂で構成することができるが、本形態では、ポリエチレン（ＰＥ）樹脂からなる。ポリエチレン樹脂としては、低密度ポリエチレン（ＬＤＰＥ）、直鎖状低密度ポリエチレン（ＬＬＤＰＥ）及び高密度ポリエチレン（ＨＤＰＥ）等が挙げられる。但し、本発明に従えば、エチレン−ビニルアルコール共重合体（ＥＶＯＨ）樹脂やナイロン樹脂等に代表されるガスバリア性樹脂を中間層とし、接着層を介して該中間層の両面にポリエチレン樹脂を配置した積層構成によって被覆層を形成することもできる。
【００１９】
また、カップ容器１の成形において、被覆層３が基材層２と共に延伸成形されている。被覆層３としては、延伸前の厚さが５００μｍ以下のもの、好適には、１００μｍ以下のものが挙げられるが、上述の如く、被覆層３を基材層２と共に延伸させてなるものとすれば、被覆層３の厚さを極めて薄くすることができる。
【００２０】
被覆層３を基材層２と共に延伸させるに際しては、二軸延伸成形に代表されるブロー成形が挙げられる。ブロー成形に用いられるプリフォームは、射出成形を基本として、基材層２又は被覆層３（例えば、ＰＥフィルム）のいずれか一方をインサート品としたインサート成形や、基材層２及び被覆層３を個別に形成した後、それらを接着や溶着等により後加工で固着する方法が挙げられる。また、シートからの打ち抜きや圧縮成形等によりプリフォームを成形することも考えられる。また、基材層２と被覆層３との間には、接着層を介在させても良い。
【００２１】
基材層２及び被覆層３のいずれか一方に、バリア性樹脂を配置する場合には、被覆層３を積層構成とし、その中にバリア性樹脂を配置することが好ましい。そして、被覆層３をインサート材（積層フィルム）として射出成形によって基材層を一体化させたプリフォームを形成する。または、射出成形された基材層２に積層フィルムからなる被覆層３を固着する。これらのプリフォームを延伸成形することによって、前記ガスバリア樹脂が連続的に胴部及び底部を覆った容器を得ることができる。
【００２２】
プリフォームの形状は、例えば、平板状、試験管状、試験管状よりも底深さが浅い皿状のもの等が挙げられる。試験管状や皿状の場合は、インサート品を予め、その形状に加工してから、金型内にインサートすることが好ましいが、樹脂圧で延伸することもできる。
【００２３】
被覆層３を基材層２と共に延伸させるに際しては、他の方法として、真空成形、圧空成形及び真空圧空成形に代表される熱成形等も挙げられる。
【００２４】
本形態によれば、基材層２の内側に配置された被覆層３を、胴部２ａ及び底部２ｂから口部２ｃを介してフランジ２ｄに至るまでの全面に亘って隙間の無いように連続的に被覆されてなるものとしたから、当該被覆層３には、基材層２に通じる隙間が存在しないため、溶出や浸透は被覆層３によって確実に防止される。従って、本形態によれば、内容物の品質を維持することができる。つまり、例えば長期保存に極めて有効である。
【００２５】
また、本形態のように、基材層２が、胴部２ａの上端を開放させて口部２ｃを形作り、この口部２ｃの周りに環状のフランジ２ｄを備える場合、同形態の如く、被覆層３を、胴部２ａの上端を越えてフランジ２ｄに至るまで隙間の無いように連続的に被覆してなるものとすれば、品質の維持に更に有効である。
【００２６】
上述したところは、本発明の一形態を示したものに過ぎず、特許請求の範囲内において、様々の変更を加えることができる。例えば、本発明に従えば、他の基材層として、胴部の上側に肩部を形成すると共に、この肩部に繋がる筒状部の内側を開放させて口部を形作るボトル状のもの等も挙げられる。なお、この場合も、被覆層は、胴部及び底部の全面に亘って隙間の無いように連続的に被覆されてなるものであるが、肩部から口部に至るまで連続的に被覆されてなるものとすることもできる。
【００２７】
また、基材層２及び被覆層３は、単層に限定されるものではなく、それぞれ積層とすることもできる。
【００２８】
更に、本発明に従えば、積層容器としての層構成は、上述した形態のように、基材層２と被覆層３との少なくとも二層であればよい。このため、本発明に従う積層容器は、三層以上の層構成とすることもできる。
【００２９】
ところで、食品容器（飲料容器等）に内容物を充填する場合、過酸化水素水（Ｈ2Ｏ2）系の殺菌剤を使用することで容器の殺菌洗浄を行うことがある。例えば、ＰＥＴ樹脂単層からなる容器をＨ2Ｏ2で洗浄した後、このＨ2Ｏ2を乾燥等によって除去したものを充填容器として用いた場合には、内容物（超純水などの精製水）からＨ2Ｏ2の検出が認められた。
【００３０】
これに対し、本願発明の上述の実施例に即した、ＰＥＴ樹脂からなる基材層とＰＥ樹脂からなる被覆層（内層）を積層してなるカップ容器１を充填容器として用いた場合、前記したＰＥＴ樹脂単層からなる容器と同一条件下で、Ｈ2Ｏ2は実質的に検出されなかった。
【００３１】
この結果から明らかなように、本発明に従うカップ状容器１によれば、被覆層３を構成するポリオレフィン系樹脂として、ＰＥ樹脂を用いた場合、Ｈ2Ｏ2に対するバリア性が高まることで、内容物の品質を好適に維持することができる。
【産業上の利用可能性】
【００３２】
本発明は、食品（飲料）用容器、薬品用容器及び化粧料用容器と、その内容物は問わない。また、容器の形状についても、カップ状やボトル状に限定されることなく、様々な形状のものに採用することができる。
【符号の説明】
【００３３】
１    カップ状積層容器
２    基材層
２ａ  胴部
２ｂ  底部
２ｃ  口部
２ｄ  フランジ
２ｅ  フランジ外周縁
３    被覆層
３ａ  胴部
３ｂ  底部
３ｃ  口部
３ｄ  フランジ
３ｅ  フランジ外周縁
【図１】
2011116373.tif 000003
【図２】
2011116373.tif 000004